(57)【特許請求の範囲】
【請求項１】
箱状であり内部空間に通じる投入口が前板部の一部に設けられる郵便受け本体と、前記投入口の周囲から突出するように設けられ、前記投入口と連通する投函口を有する口枠部と、を備え、
前記口枠部は、筒状をした枠状部と、前記枠状部の内側の後端部よりも所定距離前側であり、前記枠状部の内側と前記投函口の周縁部との間に設けられる内フランジ部と、を有し、
前記郵便受け本体は、前記前板部の前面よりも前方に突出する突出部を有し、
前記突出部は、前記枠状部の内側でかつ前記投入口の上方に位置し、
前記突出部には、下方に光を照射可能な発光装置が設けられ、
前記口枠部の前記発光装置よりも下側の部分には、透光部を有することを特徴とする郵便受け。
【請求項２】
前記突出部には、撮像装置、音声装置およびセンサ装置が設けられ、
前記突出部には、前記発光装置、前記撮像装置、前記音声装置および前記センサ装置に対応する箇所に開口部が設けられることを特徴とする請求項１に記載の郵便受け。
【請求項３】
前記前板部は、前記発光装置から発光され、前記内部空間に向かう光を透過させる光透過部を有することを特徴とする請求項１または請求項２に記載の郵便受け。
【請求項４】
前記発光装置が、光源を有する発光部と、前記発光部から入射した光を内部で拡散させて出射する導光棒と、を有することを特徴とする請求項１ないし請求項３のいずれか一項に記載の郵便受け。
【発明の詳細な説明】
【技術分野】
【０００１】
本発明は、郵便受けに関する。
【背景技術】
【０００２】
従来、箱状であり前板部に前開口が設けられた郵便受け本体と、前開口の周囲を囲むように郵便受け本体に設けられた口枠部と、を備えた郵便受けが知られている（例えば特許文献１参照）。
【先行技術文献】
【特許文献】
【０００３】
【特許文献１】特開２０１５−６６２８５号公報
【発明の概要】
【発明が解決しようとする課題】
【０００４】
特許文献１に記載の郵便受けでは、発光装置が口枠部内に配置されている。そのため、郵便受け本体と口枠部との間から口枠部内に水が浸入した場合、水が発光装置に付着するおそれがあった。
【０００５】
本発明は上記従来の問題点に鑑みて発明したものであって、その目的とするところは、発光装置に水が付着し難い、郵便受けを提供することを課題とするものである。
【課題を解決するための手段】
【０００６】
上記課題を解決するために、本発明は、以下のような構成とする。
【０００７】
郵便受けは、箱状であり内部空間に通じる投入口が前板部の一部に設けられる郵便受け本体と、前記投入口の周囲から突出するように設けられ、前記投入口と連通する投函口を有する口枠部と、を備え、前記口枠部は、筒状をした枠状部と、前記枠状部の内側の後端部よりも所定距離前側であり、前記枠状部の内側と前記投函口の周縁部との間に設けられる内フランジ部と、を有し、前記前板部は、前記投入口の上端部と前記枠状部の上端部との間に位置し、前記前板部の前面よりも前方に突出する突出部を有し、前記突出部には、下方に光を照射可能な発光装置が設けられ、前記口枠部の前記発光装置よりも下側の部分には、透光部を有することを特徴とする。
【発明の効果】
【０００８】
本発明の郵便受けでは、郵便受け本体内に発光装置を設けることで、口枠部と郵便受け本体の前板部との間から水が浸入した場合、水が発光装置に付着することを抑制できる。さらに、発光装置が突出部内に設けられ、口枠部に透光部が設けられることで、郵便受けの前方に立つユーザーの足元を照らすことができる。
【図面の簡単な説明】
【０００９】
【図１】図１Ａは第１実施形態の郵便受けの斜視図である。図１Ｂは口枠部を外した第１実施形態の郵便受けの斜視図である。
【図２】図２は第１実施形態の郵便受けの縦断面図である。
【図３】図３は電気機器ブロックを外した第１実施形態の郵便受けの斜視図である。
【図４】図４は口枠部と電気機器ブロックとを外した第１実施形態の郵便受けの分解斜視図である。
【図５】図５は下側から視た第１実施形態の電気機器ブロックの斜視図である。
【図６】図６は第１実施形態の電気機器ブロックの底面図である。
【図７】図７Ａは第１実施形態の発光装置の斜視図である。図７Ｂは第１実施形態の発光部の側面図である。
【図８】図８Ａは前側から視た第１実施形態の口枠部の斜視図である。図８Ｂは後側から視た第１実施形態の口枠部の斜視図である。
【図９】図９は図２のＺ部の拡大図である。
【図１０】図１０は第２実施形態の郵便受けの口枠部付近の断面図である。
【発明を実施するための形態】
【００１０】
本実施形態は、郵便受け、特に電気機器を集約した郵便受けに関する。
【００１１】
＜第１実施形態＞
以下、本発明の第１実施形態を図１ないし図９に基いて説明する。
【００１２】
郵便受け１は、図１Ａに示すように、郵便物を投函するための投入口２２１を有する郵便受け本体１１と、投入口２２１に通じる開口である投函口８１５を有する口枠部６と、を備える。
【００１３】
郵便受け１において、投入口２２１が設けられる側を前側Ｆ、その反対側を後側Ｂとする。また、郵便受け１において、ユーザーが投入口２２１に相対したときを基準として、右側Ｒおよび左側Ｌを定める。
【００１４】
郵便受け本体１１は、図１Ｂ，図２に示すように、郵便物を収容する内部空間２８を有する筐体２と、筐体２に取り付けられる電気機器ブロック３と、を備える。
【００１５】
筐体２は、下板部２１、前板部２２、右板部２３、左板部２４、後板部２５および上板部２６を有する。ここで、郵便受け１では、前板部２２、右板部２３、左板部２４および後板部２５により側板部２７が構成される。
【００１６】
筐体２には、図２に示すように、下板部２１、側板部２７および上板部２６で囲む内部空間２８が形成される。内部空間２８には、投入口２２１から投函された郵便物が収容される。本実施形態の内部空間２８は、略直方体状になっているが、その形状は限定されない。
【００１７】
下板部２１は、内部空間２８を下側から覆う。下板部２１は、底面視略矩形状となっている。
【００１８】
前板部２２は、下板部２１の前側端部から上方に延出される。前板部２２は、内部空間２８を前側から覆う。前板部２２は、正面視略矩形状となっている。前板部２２は、上記した投入口２２１を有する。投入口２２１は、図１Ｂに示すように、正面視矩形状となっている。投入口２２１は、図２に示すように、前板部２２を前後方向に貫通する。投入口２２１は、左右方向を長手方向とし、上下方向を短手方向として形成される。
【００１９】
前板部２２には、投入口２２１を開閉するフラップ２２１ａが取付けられる。フラップ２２１ａは、投入口２２１の上縁部に回転自在に取付けられる。郵便受け１では、郵便物が投函される際、フラップ２２１ａが後斜め上方に回転することで投入口が開かれる。郵便受け１では、郵便物が投入口２２１を通過すると、フラップ２２１ａが前斜め下方に回転し投入口２２１が閉塞される。
【００２０】
前板部２２には、図１Ｂに示すように、口枠部６（図１Ａ参照）を固定するための固定具２２２が取付けられる。固定具２２２は、側面視略Ｌ字状をしている。
【００２１】
右板部２３は、内部空間２８を右側から覆う。右板部２３は、図３に示すように、側面視略矩形状となっている。左板部２４は、内部空間２８を左側から覆う。左板部２４は、側面視略矩形状となっている。
【００２２】
後板部２５は、内部空間２８を後側から覆う。後板部２５は、後面視略矩形状となっている。
【００２３】
後板部２５には、内部空間２８に収容された郵便物を取り出すための取出し口２５１が形成される。取出し口２５１は、後面視矩形状となっている。取出し口２５１は、後板部２５を前後方向に貫通する。取出し口２５１は、左右方向を長手方向とし、上下方向を短手方向とする。
【００２４】
後板部２５には、取出し口２５１を開閉する扉２５２が取付けられる。扉２５２は、取出し口２５１の上縁部に回転自在に取付けられる。郵便受け１では、郵便物を内部空間２８から取り出す際、ユーザーが扉２５２を後斜め上方に回転させることで取出し口２５１が開かれる。郵便受け１では、郵便物が内部空間２８から取り出され、ユーザーが前斜め下方に扉２５２を回転させることで取出し口２５１が閉塞される。
【００２５】
上板部２６は、内部空間２８を上側から覆う。上板部２６は、平面視略矩形状となっている。上板部２６には、その中間部に第１開口２６１、第２開口２６２、第３開口２６３が形成される。第１開口２６１、第２開口２６２および第３開口２６３は、平面視矩形状となっている。第１開口２６１、第２開口２６２および第３開口２６３は、上板部２６を上下方向に貫通する。
【００２６】
第１開口２６１は、上板部２６において前側の位置に形成される。第１開口２６１は、左右方向を長手方向とし、前後方向を短手方向とする。第２開口２６２は、第１開口２６１の後側の位置に形成される。第２開口２６２は、左右方向を長手方向とし、前後方向を短手方向とする。第３開口２６３は、第２開口２６２の後側の位置に形成される。第３開口２６３は、左右方向を長手方向とし、前後方向を短手方向とする。
【００２７】
本実施形態の電気機器ブロック３は、図４に示すように、筐体２の上板部２６に取り付けられる。電気機器ブロック３は、基台４と、基台４に取り付けられる電気機器５０および給電部５８と、を備える。
【００２８】
基台４は、図５に示すように、ケース体４１と、ケース体４１の内側の中間部に固定される第１囲い部４４と、ケース体４１の内側における第１囲い部４４の後側に固定される第２囲い部４５を有する。
【００２９】
ケース体４１は、下面が開口した略直方体状となっている。ケース体４１は、上面部４１１、側面部を有する。側面部は、前面部、右面部、左面部および後面部を有する。また、本実施形態のケース体４１は、筐体２に固定される固定部４２と、固定部４２から前方に突出する突出部４３と、を有する。
【００３０】
固定部４２は、図５に示すように、上面部、右面部、左面部および後面部を有し、下方および前方に開口している。突出部４３は、上面部４３１、前面部４３２、右面部４３４および左面部４３５を有し、下方および後方に開口している。
【００３１】
突出部４３の上面部４３１は、図４に示すように、固定部４２の上面部よりも下方にずれた位置に位置する。突出部４３の右面部４３４は、固定部４２の右面部よりも左方にずれた位置に位置する。突出部４３の左面部４３５は、固定部４２の左面部よりも下方にずれた位置に位置する。突出部４３は、その後方の開口の周縁と固定部４２の前方の開口の周縁とを接続する接続部４３６を有する。
【００３２】
第１囲い部４４は、図５に示すように、ケース体４１の上面部４１１から下方に突出される。第１囲い部４４の突出長さは、固定部４２の側面部の上下方向の長さよりも長い。第１囲い部４４は、後壁、右壁、左壁および前壁を有し、下方に開口する。また第１囲い部４４の前壁には、複数の開口が形成されている。ここで、第１囲い部４４の下方への開口は、二つのカバー体４２１により閉塞される。
【００３３】
第２囲い部４５は、図５に示すように、第１囲い部４４の後壁から連続して後方に設けられる。第２囲い部４５は、ケース体４１の上面部か４１１ら下方に突出される。第２囲い部４５は、後壁、右壁および左壁を有し、下方および前方に開口する。第２囲い部４５は、前部４５２、後部４５１で設けられる。
【００３４】
第２囲い部４５の後部４５１は、右壁の後部、左壁の後部および後壁で構成される。第２囲い部４５の前部４５２は、右壁の前部、左壁の前部で構成される。
【００３５】
第２囲い部４５の後部４５１の突出長さは、固定部４２の側面部の上下方向の長さよりも長い。第２囲い部４５の前部４５２の突出長さは、固定部４２の側面部の上下方向の長さよりも短い。
【００３６】
ケース体４１では、図６に示すように、各種電気機器５０が上面部４１１に固定される。本実施形態の電気機器５０は、撮像装置５１、音声装置５２、センサ装置５３、発光装置５４、通信ユニット５５、端子台５６および機器ユニット５７となっている。
【００３７】
撮像装置５１、音声装置５２、発光装置５４およびセンサ装置５３は、突出部４３の内部に設置される。突出部４３の前面部４３２では、撮像装置５１、音声装置５２、発光装置５４およびセンサ装置５３の前方の部分に開口部４３３が形成される。開口部４３３は、それぞれ撮像用開口４３３ａ、音用開口４３３ｂ、出光用開口４３３ｃおよびセンサ用開口４３３ｄとなっている。開口部４３３は、突出部４３の前面部４３２を前後方向に貫通する。
【００３８】
撮像装置５１は、突出部４３の内部における右側端部に設置される。撮像装置５１は、例えば、小型のＣＣＤカメラであるが、カメラの種類は限定されない。また、音声装置５２は、突出部４３の内部における右側端部に設置される。音声装置５２は、例えば、スピーカーや集音機であるが、その装置の種類は限定されない。
【００３９】
発光装置５４は、突出部４３の内部における中間部に設置される。発光装置５４は、図７Ａに示すように、発光部５４１と、発光部５４１から入射した光を出射する導光棒５４２と、を備える。
【００４０】
発光部５４１は、図７Ｂに示すように、光源５４１ａと、光源５４１ａが取り付けられる基板５４１ｂと、を有する。本実施形態の光源５４１ａは、発光ダイオードであるが、例えば電球形蛍光灯や白熱電球でもよい。また、基板５４１ｂは、一般に流通している電子回路基板である。
【００４１】
導光棒５４２は、図７Ａに示すように、左右方向に延びた棒状となる。導光棒５４２は、アクリル樹脂製の透光性（光透過性）を有する合成樹脂材料から形成される。導光棒５４２の部材は上記した材料に限定されず、例えばポリカーボネード樹脂、ガラスなどであってもよい。
【００４２】
導光棒５４２は、その左右方向の両端面のうちの一方の端面である右端面、他方の端面である左端面、を有する。導光棒５４２は、左右方向に沿った面のうち上方を向いた上面、上面とは反対側の下面、前方を向いた前面、後方を向いた後面、を有する。
【００４３】
導光棒５４２では、光源５４１ａと対向する位置にある右端面が入光面５４２ａとなる。導光棒５４２では、上面が入光面５４２ａから入射した光を拡散させる拡散面５４２ｂとなる。導光棒５４２では、前面、後面、下面および左端面が、拡散面５４２ｂで拡散された光が出光する出光面５４２ｃとなる。
【００４４】
入光面５４２ａおよび出光面５４２ｃは、光源５４１ａからの光が透過し易い形状となる。
【００４５】
拡散面５４２ｂには、平坦な面に一定のピッチで多数の溝５４２ｄが多数並ぶ。拡散面５４２ｂには、上下方向に複数の溝５４２ｄが並ぶ。拡散面５４２ｂには、その右端部から左端部に亘って複数の溝５４２ｄが形成される。溝５４２ｄは、平坦な面に対して、放電加工、微細粒子の吹付け、インプリント、エッチング、印刷、レーザー等の表面加工手法を施すことにより形成される。
【００４６】
本実施形態の発光装置５４では、前面、後面および下面が出光面５４２ｃとなっている。そのため、光源５４１ａから導光部内に入射した光は、図７Ａに示すように、前方、後方および下方を照射する。
【００４７】
なお、発光装置５４の構成は上記したものに限定されず、例えば発光部５４１が導光棒５４２の右側端部および左側端部の両方に設けてもよい。
【００４８】
センサ装置５３は、図６に示すように、突出部４３の内部における左側端部に設置される。センサ装置５３は、例えば、照度センサ、赤外線センサ、温度センサであるが、センサの種類は限定されない。
【００４９】
通信ユニット５５および端子台５６は、第１囲い部４４の内部に設置される。通信ユニット５５は、第１囲い部４４の内部における右側端部に設置される。通信ユニット５５は、無線通信モジュールであるが、有線での通信を行う装置でもよい。端子台５６は、通信ユニット５５の左側に設置される。
【００５０】
本実施形態の第１囲い部４４の内部には、給電部５８が設置される。給電部５８は、撮像装置５１、音声装置５２、センサ装置５３、発光装置５４、通信ユニット５５に電力を供給する。本実施形態の給電部５８は、バッテリーであるが、給電部５８は郵便受け１の外部にある商用電源でもよい。
【００５１】
機器ユニット５７は、第２囲い部４５の内部に設置される。機器ユニット５７は、庫内用ＬＥＤ照明、庫内カメラ、蓄電池を備える。ここで、図４に示すように、庫内用ＬＥＤ照明の下方には、筐体２の第２開口２６２が位置する。なお、機器ユニット５７の構成は特に限定されない。
【００５２】
本実施形態の郵便受け１では、郵便受け本体１１の前板部が筐体２の前板部２２および突出部４３で構成される。郵便受け本体１１の右板部は、筐体２の右板部２３および固定部４２の右面部で構成される。郵便受け本体１１の左板部は、筐体２の左板部２４および固定部４２の左面部で構成される。郵便受け本体１１の後板部は、筐体の後板部２５および固定部４２の後面部で構成される。
【００５３】
口枠部６は、図８Ａに示すように、外枠を構成する枠状部６１と、投函口８１５の周縁部と枠状部６１との間に設けられる内フランジ部６２と、を有する。ここで、枠状部６１は、図９に示すように、筐体２の前板部２２から前方に突出するように設けられる。また、内フランジ部６２は、投入口２２１の周囲と正面視で重なるように設けられる。
【００５４】
枠状部６１は、図８Ａに示すように、筒状をしており、投函口８１５の周囲を囲む。枠状部６１は、正面視略矩形状をしている。枠状部６１は、上板部６１１、右板部６１２、左板部６１３および下板部６１４を有する。
【００５５】
上板部６１１は、投函口８１５の上側に設けられる。上板部６１１は、左右方向を長手方向とし、前後方向を短手方向とする。
【００５６】
右板部６１２は、投函口８１５の右側に設けられる。右板部６１２は、上下方向を長手方向とし、前後方向を短手方向とする。右板部６１２の前端部は、側面視において、その上端から所定距離下方の位置まで上下方向と平行に設けられる。左板部６１３の前端部は、側面視において、所定距離下方の位置から下側に行く程後側に位置するように傾斜する。右板部６１２では、その下端部における前端の位置が、上端部における前端の位置よりも後方に位置する。
【００５７】
左板部６１３は、投函口８１５の左側に設けられる。左板部６１３は、上下方向を長手方向とし、前後方向を短手方向とする。左板部６１３の前端部は、側面視において、その上端から所定距離下方の位置まで上下方向と平行に設けられる。左板部６１３の前端部は、側面視において、所定距離下方の位置から下側に行く程後側に位置するように傾斜する。左板部６１３では、その下端部における前端の位置が、上端部における前端の位置よりも後方に位置する。
【００５８】
下板部６１４は、投函口８１５の下側に設けられる。下板部６１４は、左右方向を長手方向とし、前後方向を短手方向とする。下板部６１４の前端の位置は、図９に示すように、上板部６１１の前端の位置よりも後方に位置する。
【００５９】
内フランジ部６２は、枠状部６１の内側に設けられる。内フランジ部６２は、図８Ａに示すように、上部を構成する張出し部７と、張出し部７よりも下側の部分を構成する奥部８と、を有する。
【００６０】
張出し部７は、前板部７１、下板部７２を有する。
【００６１】
張出し部７の前板部７１は、枠状部６１の上板部６１１から下方に延出される。張出し部７の前板部７１は、枠状部６１の上板部６１１、右板部６１２および左板部６１３に連続して設けられる。張出し部７の前板部７１は、左右方向を長手方向とし、上下方向を短手方向とする。張出し部７の前板部７１には、開口部７１１が形成される。
【００６２】
張出し部７の下板部７２は、図８Ｂに示すように、張出し部７の前板部７１の下端部から後方に延出される。張出し部７の下板部７２の後端の位置は、枠状部６１の後端の位置よりも前側に位置する。張出し部７の下板部７２は、枠状部６１の右板部６１２および左板部６１３に連続して設けられる。張出し部７の下板部７２は、左右方向を長手方向とし、前後方向を短手方向とする。張出し部７の下板部７２には、発光装置５４からの光が出射する出射口７２１が形成される。
【００６３】
奥部８は、図８Ａに示すように、投函部８１と、板状部８２と、を有する。
【００６４】
投函部８１は、図８Ｂに示すように、略角筒状となっている。投函部８１は、張出し部７の下板部７２の後端部の左右方向の中間部に配置される。投函部８１は、上縁部８１１、右縁部８１２、左縁部８１３および下縁部８１４を有する。
【００６５】
上縁部８１１は、張出し部７の下板部７２における後端からさらに後方に突出する。上縁部８１１は、左右方向を長手方向とし、前後方向を短手方向とする。
【００６６】
右縁部８１２は、上縁部８１１の右側端部から下方に突出する。右縁部８１２は、上下方向を長手方向とし、前後方向を短手方向とする。
【００６７】
左縁部８１３は、上縁部８１１の左側端部から下方に突出する。左縁部８１３は、上下方向を長手方向とし、前後方向を短手方向とする。
【００６８】
下縁部８１４は、右縁部８１２の下端部と左縁部８１３の下端部との間に設けられる。下縁部８１４は、左右方向を長手方向とし、前後方向を短手方向とする。下縁部８１４は、側面視において、後側に行く程上側に位置するように傾斜する。また、下縁部８１４は、図８Ａに示すように、傾斜部分の後端部から上方に突出する突出片８１４ａを有する。
【００６９】
上縁部８１１、右縁部８１２、左縁部８１３および下縁部８１４の後端は、枠状部６１の後端と前後方向において同じ位置に位置する。
【００７０】
投函部８１は、上縁部８１１、右縁部８１２、左縁部８１３および下縁部８１４で囲む内側に投函口８１５を有する。投函部８１では、上縁部８１１、右縁部８１２、左縁部８１３および下縁部８１４により投函口８１５の周縁部が設けられる。投函口８１５は、図９に示すように、筐体２の投入口２２１を介して内部空間２８に通じる。
【００７１】
板状部８２は、図８Ｂに示すように、投函口８１５の周囲に設けられる。板状部８２は、投函部８１の左縁部８１３、右縁部８１２および下縁部８１４から延出され、枠状部６１の右板部６１２、左板部６１３および下板部６１４まで連続して設けられる。板状部８２の下端部には、図９に示すように、他の部分よりも前方に突出する凸部８１６が設けられる。板状部８２は、図８Ｂに示すように、枠状部６１の後端よりも前側に位置する。
【００７２】
口枠部６では、図９に示すように、内フランジ部６２の張出し部７および板状部８２が枠状部６１の後端よりも所定距離前側に位置し、投函部８１の後端が枠状部６１の後端と同じ位置に位置する。内フランジ部６２と前板部２２との間には、空間６３が形成される。
【００７３】
空間６３は、図８Ｂに示すように、張出し部７の後側に形成される第１空間６３１を有する。
【００７４】
空間６３は、板状部８２の後側に形成される空間のうち、投函部８１の右縁部８１２の右側に形成される空間である第２空間６３２を有する。
【００７５】
空間６３は、板状部８２の後側に形成される空間のうち、投函部８１の左縁部８１３の左側に形成される空間である第３空間６３３を有する。
【００７６】
空間６３は、板状部８２の後側に形成される空間のうち、投函部８１の下縁部８１４よりも下側の空間である第４空間６３４を有する。
【００７７】
口枠部６の第１空間６３１には、図９に示すように、電気機器ブロック３の突出部４３が挿入される。張出し部７の前板部７１には、図８Ｂに示すように、撮像用開口４３１ａ、音用開口４３１ｂ、出光用開口４３１ｃおよびセンサ用開口４３１ｄのそれぞれに対応した開口部７１１が形成される。
【００７８】
開口部７１１は、撮像用開口７１１ａ、音用開口７１１ｂ、出光用開口７１１ｃおよびセンサ用開口７１１ｄを有する。また、張出し部７における下板部７２の開口は、突出部４３の下方の開口を通って照射される発光装置５４からの光を、張出し部７の下板部７２よりも下方に照射するための出射口７２１である。
【００７９】
撮像用開口７１１ａ、音用開口７１１ｂ、出光用開口７１１ｃおよびセンサ用開口７１１ｄには、カバーが取付けられることが好ましい。また、出射口７２１には、発光装置５４からの光を透過させる材料で形成された照明カバーが取付けられる。照明カバーは、アクリル樹脂製の透光性を有する合成樹脂材料、ポリカーボネード樹脂から形成される。なお、照明カバーは、上記した材料に限定されない。出射口７２１に照明カバーを設けることで、出射口７２１から水が浸入することを抑制できる。
【００８０】
口枠部６の第４空間６３４には、基台４内に配置できなかった電気機器５０を配置してもよい。この電気機器５０に接続される電線５９は、本実施形態では、第２空間６３２を通って基台４内の給電部５８に配線される。なお、第２空間６３２ではなく第３空間６３３に電線５９を通らせて基台４内の給電部５８に配線してもよい。
【００８１】
第２空間６３２及び第３空間６３３は、第４空間６３４内に配置された電気機器５０に接続される電線５９を収容するための溝部６４となっている。なお、第４空間６３４内に配置された電気機器５０に接続される装置は、給電部５８に限られず他の装置であってもよい。
【００８２】
本実施形態の郵便受け１では、図４に示すように、筐体２の第１開口２６１に基台４の第１囲い部４４が挿入され、筐体２の第３開口２６３に第２囲い部４５が挿入されて、筐体２に電気機器ブロック３が取付けられる。そして、郵便受け１では、筐体２に電気機器ブロック３が固着具により固定される。ここで、固着具はビスやネジ等である。
【００８３】
郵便受け１では、電気機器ブロック３の突出部４３に口枠部６の第１空間６３１が挿入され、固定具２２２の前方へ突出した片が口枠部６の凸部８１６の内部の空間に挿入され、筐体２および電気機器ブロック３に口枠部６が取付けられる。そして、郵便受け１では、筐体２および電気機器ブロック３に口枠部６が固着具により固定される。
【００８４】
郵便受け１では、電気機器ブロック３が筐体２の上板部２６に取り付けられることにより、筐体２の上板部２６の第１開口２６１、第２開口２６２および第３開口２６３が閉塞される。
【００８５】
郵便受け１では、発光装置５４から出射された光は、図４に示すように、突出部４３の前面部４３２の出光用開口４３３ｃを介して口枠部６の出光用開口７１１ｃから前方を照射する。また、発光装置５４から出射された光は、図９に示すように、突出部４３の下方の開口を介して口枠部６の出射口７２１から下方を照射する。
【００８６】
郵便受け１では、図９に示すように、枠状部６１の下板部６１４の前端部の位置が導光棒５４２の後端部の位置よりも後側に位置する。本実施形態の口枠部６では、枠状部６１の下板部６１４において、その前端部の位置と枠状部６１の上板部６１１の前端部の位置との間に対応する部分が、張出し部７の出射口７２１から出射した光を透過する透光部６１４ａとなる。
【００８７】
仮に、図９に２点鎖線で示すように、枠状部６１の下板部６１４の前端部の位置が、枠状部６１の上板部６１１の前端部の位置と同じであるとする。この場合、張出し部７の出射口７２１から出射した光が枠状部６１の下板部６１４に遮られてしまうため、郵便受け１の下方を照らし難くなる。そのため、本実施形態の郵便受け１では、枠状部６１の下板部６１４の一部を切り欠くことにより、張出し部７の出射口７２１から出射した光が下方を照射できるようにしている。
【００８８】
なお、透光部６１４ａの構成は上記したものに限定されず、枠状部６１の下板部６１４の前端部の位置と、枠状部６１の上板部６１１の前端部の位置とを同じに設けてもよい。この場合、枠状部６１の下板部６１４において、導光棒５４２の後端部の位置と枠状部６１の上板部６１１の前端部の位置との間に対応する部分が、透光性の材料で形成される。
【００８９】
透光部６１４ａは、アクリル樹脂製の透光性を有する合成樹脂材料から形成される。透光部６１４ａは、上記した材料に限定されず、例えばポリカーボネード樹脂であってもよい。
【００９０】
上記した構成を備える郵便受け１では、郵便受け本体１１内に発光装置５４を設けることで、口枠部６と郵便受け本体１１の前板部との隙間から浸入する水が発光装置５４に付着することを抑制できる。さらに、郵便受け１では、突出部４３内に発光装置５４が設けられると共に、口枠部６の下板部６１４に透光部６１４ａが設けられることで、発光装置５４により口枠部６の内側とユーザーの足元を照らすことができる。
【００９１】
＜第２実施形態＞
本発明の第２実施形態について、図１０に基づいて説明する。
【００９２】
第２実施形態の郵便受け１は、第１実施形態の郵便受け１の別実施形態であり、その特徴は発光装置５４により庫内を照射する構成に関する。
【００９３】
ここで、第２実施形態において、第１実施形態と共通の構成については同じ符号を付し、その詳細な説明については省略する。
【００９４】
郵便受け１では、筐体２の前板部２２における投入口２２１の上端部よりも上側の部分が光透過部２２３となる。郵便受け１では、図１０に示すように、点線で囲んだＡの部分が光透過部２２３となる。本実施形態の光透過部２２３は、筐体２の前板部２２において、投入口２２１の上側の部分を切り欠くことにより形成される。なお、光透過部２２３は、透光性の材料で形成されてもよい。光透過部２２３は、アクリル樹脂製の透光性を有する合成樹脂材料から形成される。なお、光透過部２２３は、上記した材料に限定されず、例えばポリカーボネード樹脂であってもよい。
【００９５】
発光装置５４の導光棒５４２では、出光面５４２ｃが前側面、下端面、後側面、となっている。そのため、発光部５４１から導光棒５４２内に入射した光は、図７Ａに示すように、前方、下方および後方を照射する。
【００９６】
上記した構成を備えた郵便受けでは、筐体２に光透過部２２３が設けられるので、導光棒５４２から出射される後方の光が光透過部２２３を透過し、筐体２内の内部空間２８を照射することができる。従って、ユーザーが扉２５２を開けて郵便物を取り出す際、内部空間２８を視認し易くなる。また、本実施形態の郵便受け１では、一つの発光装置５４で、郵便受け１の前方、下方および内部空間２８を照射することができる。
【００９７】
上記した第１実施形態の郵便受け１、第２実施形態の郵便受け１は以下の構成を備える。
【００９８】
郵便受け１は、箱状であり内部空間２８に連通する投入口２２１が前板部の一部に設けられる郵便受け本体１１を備える。郵便受け１は、投入口２２１の周囲から突出するように設けられ、投入口２２１と連通する投函口８１５を有する口枠部６を備える。
【００９９】
口枠部６は、筒状をした枠状部６１と、枠状部６１の内側の後端部よりも所定距離前側であり、枠状部６１の内側と投函口８１５の周縁部との間に設けられる内フランジ部６２と、を有する。
【０１００】
郵便受け本体１１の前板部は、投入口２２１の上端部と枠状部６１の上端部との間に位置し、前板部２２の前面よりも前方に突出する突出部４３を有する。
【０１０１】
突出部４３には、下方に光を照射可能な発光装置５４が設けられる。
【０１０２】
口枠部６の発光装置５４よりも下側の部分には、透光部６１４ａを有する。
【０１０３】
これにより、発光装置５４の防水性を確保すると共に、発光装置５４が突出部４３に配置され、口枠部６が透光部６１４ａを有することで、発光装置５４からの光で郵便受け１の前方および下方を照射することができる。
【０１０４】
突出部４３には、撮像装置５１、音声装置５２およびセンサ装置５３が設けられる。
【０１０５】
突出部４３には、発光装置５４、撮像装置５１、音声装置５２およびセンサ装置５３に対応する箇所に開口部４３３が設けられる。
【０１０６】
これにより、突出部４３に玄関周りの電気機器５０を集約することができ、玄関周りがすっきりする。
【０１０７】
郵便受け本体１１の前板部は、発光装置５４から発光され、内部空間２８に向かう光を透過させる光透過部２２３を有する。
【０１０８】
これにより、郵便受け１の筐体２内の内部空間２８を発光装置５４で照らすことができる。
【０１０９】
発光装置５４が、光源５４１ａを有する発光部５４１と、発光部５４１から入射した光を内部で拡散させて出射する導光棒５４２と、を有する。
【０１１０】
これにより、光源５４１ａの数を減らすことができる。
【符号の説明】
【０１１１】
１        郵便受け
１１      郵便受け本体
２２      前板部
２２１    投入口
２２３    光透過部
２８      内部空間
４３      突出部
４３３    開口部
５１      撮像装置
５２      音声装置
５３      センサ装置
５４      発光装置
５４１    発光部
５４２    導光棒
６        口枠部
６１      枠状部
６１４ａ  透光部
６２      内フランジ部
８１５    投函口
【図１】
0006664089.tif 000002
【図２】
0006664089.tif 000003
【図３】
0006664089.tif 000004
【図４】
0006664089.tif 000005
【図５】
0006664089.tif 000006
【図６】
0006664089.tif 000007
【図７】
0006664089.tif 000008
【図８】
0006664089.tif 000009
【図９】
0006664089.tif 000010
【図１０】
0006664089.tif 000011